【手続補正書】
【提出日】平成27年11月11日(2015.11.11)
【手続補正１】
【補正対象書類名】特許請求の範囲
【補正対象項目名】全文
【補正方法】変更
【補正の内容】
【特許請求の範囲】
【請求項１】
人の３Ｄモデルを作成するためのデータを前記人から取得する方法であって、
前記人の上顎骨弓の少なくとも一部分及び前記人の下顎骨弓の少なくとも一部分の構造モデリングを助ける第１のデータセットを取得するステップと、
前記人の上顎の少なくとも一部分及び前記上顎を前記上顎骨弓に関係させるための前記上顎骨弓の少なくとも一部分の構造モデリング、並びに前記人の下顎の少なくとも一部分及び前記下顎を前記下顎骨弓に関係させるための前記下顎骨弓の少なくとも一部分の構造モデリングを助ける第２のデータセットを取得するステップと、
前記人の顎間関係が生理的安静位にあることを確認するステップと、
前記顎間関係が前記生理的安静位にあるとき、前記上顎の少なくとも一部分及び前記下顎の少なくとも一部分の構造モデリングを助ける第３のデータセットを取得するステップと
を含む、方法。
【請求項２】
前記上顎の少なくとも一部分及び前記下顎の少なくとも一部分の前記第３のデータセットを取得するステップを更に含み、前記顎間関係が更に前記生理的安静位以外の位置にある、請求項１に記載の方法。
【請求項３】
前記顎間関係が変化する間、前記第３のデータセットの少なくとも一部がリアルタイムで取得される、請求項２に記載の方法。
【請求項４】
前記顎間関係が前記生理的安静位にあることを確認するステップが、前記人の顎筋系によるエネルギ使用量をモニタするステップを含む、請求項１に記載の方法。
【請求項５】
被選択エネルギ使用値がモニタされるときに前記第３のデータセットが取得される、請求項４に記載の方法。
【請求項６】
前記第３のデータセット内にエネルギ使用量が含まれる、請求項４に記載の方法。
【請求項７】
前記第２のデータセット内にエネルギ使用量が含まれる、請求項４に記載の方法。
【請求項８】
前記顎筋系によるエネルギ使用量をモニタするステップが、筋電計によって前記顎筋系をモニタするステップを含む、請求項４に記載の方法。
【請求項９】
前記顎間関係が前記生理的安静位にあることを確認するステップが、前記顎筋系を疲弊させるステップを含む、請求項１に記載の方法。
【請求項１０】
前記顎筋系を疲弊させるステップが、疲弊するまで前記顎筋系を刺激するステップを含む、請求項９に記載の方法。
【請求項１１】
疲弊するまで前記顎筋系を刺激するステップが、経皮電気神経刺激により前記顎筋系を刺激するステップを含む、請求項１０に記載の方法。
【請求項１２】
前記顎間関係が前記生理的安静位にあることを確認するステップが、前記顎筋系によるエネルギ使用量をモニタするステップを含む、請求項９に記載の方法。
【請求項１３】
被選択エネルギ使用値がモニタされるときに前記第３のデータセットが取得される、請求項１２に記載の方法。
【請求項１４】
３Ｄモデルを作成するためのデータを人から取得するためのシステムであって、
前記人の上顎骨弓及び前記人の下顎骨弓の第１のデータセットを取得するための第１のセンサを含む第１のデータ取得モジュールと、
前記人の上顎の少なくとも一部分及び前記上顎を前記上顎骨弓に関係させるための前記上顎骨弓の少なくとも一部分の、並びに前記人の下顎の少なくとも一部分及び前記下顎を前記下顎骨弓に関係させるための前記下顎骨弓の少なくとも一部分の第２のデータセットを取得するためであり、かつ、前記人の顎間関係が生理的安静位にある場合、前記上顎の少なくとも一部分及び前記下顎の少なくとも一部分の第３のデータセットを取得するための第２のセンサを含む第２のデータ取得モジュールと、
前記第１のデータ取得モジュール及び前記第２のデータ取得モジュールを制御するために、前記第１のデータ取得モジュール及び前記第２のデータ取得モジュールと動作可能に通信するプロセッサと、
前記人の顎筋系のエネルギ使用量をモニタする第３のセンサを含む第３のデータ取得モジュールと
を含む、システム。
【請求項１５】
前記第１のデータセット、前記第２のデータセット、及び前記第３のデータセットを記憶するために、前記第１のデータ取得モジュール、前記第２のデータ取得モジュール、及び前記プロセッサと動作可能に通信するコンピュータ可読媒体を更に含む、請求項１４に記載のシステム。
【請求項１６】
前記第１のデータ取得モジュールが口内の光学３Ｄスキャナである、請求項１４に記載のシステム。
【請求項１７】
前記第２のデータ取得モジュールが３Ｄ光学スキャナである、請求項１４に記載のシステム。
【請求項１８】
前記第２のデータ取得モジュールが３Ｄ超音波スキャナである、請求項１４に記載のシステム。
【請求項１９】
前記データ取得モジュールが筋電計である、請求項１４に記載のシステム。
【請求項２０】
前記第３のデータ取得モジュールが前記プロセッサと動作可能に通信し、条件が満たされるとき、前記プロセッサが前記第２のデータ取得モジュールに前記第３のデータセットを取得させるように構成される、請求項１４に記載のシステム。
【請求項２１】
前記条件が前記顎筋系による被選択エネルギ使用量である、請求項２０に記載のシステム。
【請求項２２】
前記被選択エネルギ使用量は、前記顎筋系が疲弊していることを示す最小値であり、前記顎間関係が前記安静位にある、請求項２１に記載のシステム。
【請求項２３】
前記顎筋系が前記被選択エネルギ使用量を有することを確認するように前記プロセッサが更に構成される、請求項２１に記載のシステム。
【請求項２４】
前記第２のデータ取得モジュールが、前記第３のデータセットを取得できるデータ取得位置に固定される、請求項２１に記載のシステム。
【請求項２５】
前記第２のデータセットが前記データ取得位置から取得されても良く、前記プロセッサが前記第２のデータ取得モジュールに前記第２のデータセットを取得させるように更に構成される、請求項２４に記載のシステム。
【請求項２６】
前記第３のデータセットが前記第３のデータ取得モジュールによって更に取得される、請求項１４に記載のシステム。
【請求項２７】
前記第２のデータセットが前記第３のデータ取得モジュールによって更に取得される、請求項１４に記載のシステム。
【請求項２８】
３Ｄモデルを作成するためのデータを人から取得するためのシステムであって、
前記人の上顎骨弓及び前記人の下顎骨弓の第１のデータセットを取得するための第１のセンサを含む第１のデータ取得モジュールと、
前記人の上顎の少なくとも一部分及び前記上顎を前記上顎骨弓に関係させるための前記上顎骨弓の少なくとも一部分の、並びに前記人の下顎の少なくとも一部分及び前記下顎を前記下顎骨弓に関係させるための前記下顎骨弓の少なくとも一部分の第２のデータセットを取得するためであり、かつ、前記人の顎間関係が生理的安静位にある場合、前記上顎の少なくとも一部分及び前記下顎の少なくとも一部分の第３のデータセットを取得するための第２のセンサを含む第２のデータ取得モジュールと、
前記第１のデータ取得モジュール及び前記第２のデータ取得モジュールを制御するために、前記第１のデータ取得モジュール及び前記第２のデータ取得モジュールと動作可能に通信するプロセッサと、
前記顎筋系を疲弊させるための筋肉疲弊モジュールと
を含む、システム。
【請求項２９】
前記第１のデータ取得モジュール、前記第２のデータ取得モジュール及び前記プロセッサと動作可能に通信し、前記第１のデータセット、前記第２のデータセット及び前記第３のデータセットを格納するコンピュータ可読媒体を更に含む、請求項２８に記載のシステム。
【請求項３０】
前記第１のデータ取得モジュールが口内の光学３Ｄスキャナである、請求項２８に記載のシステム。
【請求項３１】
前記第２のデータ取得モジュールが３Ｄ光学スキャナである、請求項２８に記載のシステム。
【請求項３２】
前記第２のデータ取得モジュールが３Ｄ超音波スキャナである、請求項２８に記載のシステム。
【請求項３３】
前記筋肉疲弊モジュールが経皮電気神経刺激モジュールである、請求項２８に記載のシステム。
【請求項３４】
前記筋肉疲弊モジュールが、前記筋肉疲弊モジュールからのフィードバックを制御し受け取るための前記プロセッサと動作可能に通信する、請求項２８に記載のシステム。
【請求項３５】
３Ｄモデルを作成するためのデータを人から取得するためのシステムであって、
前記人の上顎骨弓及び前記人の下顎骨弓の第１のデータセットを取得するための第１のセンサを含む第１のデータ取得モジュールと、
前記人の上顎の少なくとも一部分及び前記上顎を前記上顎骨弓に関係させるための前記上顎骨弓の少なくとも一部分の、並びに前記人の下顎の少なくとも一部分及び前記下顎を前記下顎骨弓に関係させるための前記下顎骨弓の少なくとも一部分の第２のデータセットを取得するためであり、かつ、前記人の顎間関係が生理的安静位にある場合、前記上顎の少なくとも一部分及び前記下顎の少なくとも一部分の第３のデータセットを取得するための第２のセンサを含む第２のデータ取得モジュールと、
前記第１のデータ取得モジュール及び前記第２のデータ取得モジュールを制御するために、前記第１のデータ取得モジュール及び前記第２のデータ取得モジュールと動作可能に通信するプロセッサと、
前記人の顎筋系のエネルギ使用量をモニタするための第３のセンサを含む第３のデータ取得モジュールと、
前記顎筋系を疲弊させるための筋肉疲弊モジュールと
を含む、システム。
【請求項３６】
前記第３のデータ取得モジュールが前記プロセッサと動作可能に通信し、前記顎筋系のエネルギ使用量が、前記顎筋系が疲弊していることを示す最小エネルギ使用量にあるとき、前記プロセッサが前記第２のデータ取得モジュールに前記第３のデータを取得させるように構成され、前記顎間関係が前記安静位にある、請求項３５に記載のシステム。
【請求項３７】
前記筋肉疲弊モジュールが、前記筋肉疲弊モジュールからのフィードバックを制御し受け取るための前記プロセッサと動作可能に通信する、請求項３６に記載のシステム。
【請求項３８】
人の顎間関係が生理的安静位にあることを確認し、前記人の上顎の少なくとも一部分及び前記人の下顎の少なくとも一部分の構造モデリングを助ける第１のデータセットを取得するための命令を含むコンピュータ可読媒体であって、前記顎間関係が前記生理的安静位にある、コンピュータ可読媒体。
【請求項３９】
前記上顎の少なくとも一部分及び前記上顎を前記上顎骨弓に関係させるための前記人の上顎骨弓の少なくとも一部分の構造モデリング、並びに前記下顎の少なくとも一部分及び前記下顎を前記下顎骨弓に関係させるための前記人の下顎骨弓の少なくとも一部分の構造モデリングを助ける第２のデータセットを取得するための命令を更に含む、請求項３８に記載のコンピュータ可読媒体。
【請求項４０】
人の頭部の３Ｄモデルを作成する方法であって、
前記人の上顎骨弓の少なくとも一部分及び前記人の下顎骨弓の少なくとも一部分の構造モデリング用の第１のデータセットを取得するステップと、
前記人の上顎の少なくとも一部分及び前記上顎を上顎骨弓に関係させるための前記人の前記上顎骨弓の少なくとも一部分の構造モデリング、並びに前記下顎の少なくとも一部分及び前記下顎を前記下顎骨弓に関係させるための前記下顎骨弓の少なくとも一部分の構造モデリング用の第２のデータセットを取得するステップと、
前記人の顎間関係が生理的安静位にあることを確認し、前記上顎の少なくとも一部分及び前記下顎の少なくとも一部分の構造モデリング用の第３のデータセットを取得するステップであって、前記顎間関係が前記生理的安静位にある、第３のデータセットを取得するステップと、
前記第１のデータセット、前記第２のデータセット、及び前記第３のデータセットを組み合わせて前記生理的安静位にある前記頭部の関節運動可能な３Ｄモデルを描画するステップと
を含む、方法。
【請求項４１】
人の頭部の中心咬合位置を推定する方法であって、
前記人の上顎骨弓の少なくとも一部分及び前記人の下顎骨弓の少なくとも一部分の構造モデリング用の第１のデータセットを取得するステップと、
前記人の上顎の少なくとも一部分及び前記上顎を上顎骨弓に関係させるための前記人の前記上顎骨弓の少なくとも一部分の構造モデリング、並びに前記下顎の少なくとも一部分及び前記下顎を前記下顎骨弓に関係させるための前記下顎骨弓の少なくとも一部分の構造モデリング用の第２のデータセットを取得するステップと、
前記人の顎間関係が生理的安静位にあることを確認し、前記上顎の少なくとも一部分及び前記下顎の少なくとも一部分の構造モデリング用の第３のデータセットを取得するステップであって、前記顎間関係が前記生理的安静位にある、第３のデータセットを取得するステップと、
前記第１のデータセット、前記第２のデータセット、及び前記第３のデータセットを組み合わせて前記生理的安静位にある前記頭部の関節運動可能な３Ｄモデルを描画するステップと、
前記関節運動可能な３Ｄモデルの顎間関係に関する安静の咬合高径を求め、前記関節運動可能な３Ｄモデルの下顎を、前記安静の咬合高径から１ｍｍから４ｍｍの間縦に閉じた咬合高径に配置し、推定中心咬合位置をもたらすステップと
を含む、方法。
【請求項４２】
人用の歯科器具を作成する方法であって、
前記人の上顎骨弓の少なくとも一部分及び前記人の下顎骨弓の少なくとも一部分の構造モデリング用の第１のデータセットを取得するステップと、
前記人の上顎の少なくとも一部分及び前記上顎を上顎骨弓に関係させるための前記人の前記上顎骨弓の少なくとも一部分の構造モデリング、並びに前記下顎の少なくとも一部分及び前記下顎を前記下顎骨弓に関係させるための前記下顎骨弓の少なくとも一部分の構造モデリング用の第２のデータセットを取得するステップと、
前記人の顎間関係が生理的安静位にあることを確認し、前記上顎の少なくとも一部分及び前記下顎の少なくとも一部分の構造モデリング用の第３のデータセットを取得するステップであって、前記顎間関係が前記生理的安静位にある、第３のデータセットを取得するステップと、
前記第１のデータセット、前記第２のデータセット、及び前記第３のデータセットを組み合わせて前記生理的安静位にある前記人の頭部の関節運動可能な３Ｄモデルを描画するステップと、
前記関節運動可能な３Ｄモデルの顎間関係に関する安静の咬合高径を求め、前記関節運動可能な３Ｄモデルの下顎を、前記安静の咬合高径から１ｍｍから４ｍｍの間縦に閉じた咬合高径に配置し、推定中心咬合位置をもたらすステップと、
前記推定中心咬合位置に基づいて歯科器具を作成するステップと
を含む、方法。
【請求項４３】
前記歯科器具が義歯である、請求項４２に記載の方法。
【請求項４４】
前記義歯が総義歯である、請求項４３に記載の方法。